(57)【特許請求の範囲】
【請求項１】
ディスクが載置されるターンテーブルと、前記ターンテーブルを回転させるモータとを備え、前記モータの回転軸と一体に回転する磁性体のロータケースの上面板を前記ターンテーブルとしたスピンドルモータであって、
前記ロータケースの上面板に、前記回転軸と同心状にセンタリング部材が配され、
前記センタリング部材は、前記ディスクの内縁部を案内する円環状ガイド部と、前記円環状ガイド部の中心に配されて前記回転軸の周りに装着されるボス部と、前記円環状ガイド部と前記ボス部を連絡する複数の架橋部と、前記円環状ガイド部と前記ボス部の間の貫通口部とを有し、
クランプマグネットが、前記貫通口部に配されて、前記ロータケースの上面板に当接していることを特徴とするスピンドルモータ。
【請求項２】
前記クランプマグネットは、円環状マグネットからなり、前記架橋部の下に配されていることを特徴とする請求項１に記載のスピンドルモータ。
【請求項３】
前記クランプマグネットは、下面に凹部が形成された円環状マグネットからなり、
前記クランプマグネットは、前記凹部が前記架橋部と嵌合されて前記架橋部の上に配されていることを特徴とする請求項１に記載のスピンドルモータ。
【請求項４】
前記クランプマグネットは、回転方向に分割された複数の分割マグネットからなり、
前記複数の分割マグネットは、間隙部を介して配され、
前記架橋部が前記間隙部に配されていることを特徴とする請求項１に記載のスピンドルモータ。
【請求項５】
前記複数の分割マグネットは、円弧状マグネットであり、前記間隙部を介して円環状に配されていることを特徴とする請求項４に記載のスピンドルモータ。
【請求項６】
前記センタリング部材には、前記複数の分割マグネットの上面と軸方向に対面する突部が設けられていることを特徴とする請求項４または５に記載のスピンドルモータ。
【請求項７】
前記回転軸は、前記ロータケースの上面板から突出した突出部分を有し、
前記突出部分の周囲に円筒部材が固定され、
前記円筒部材は、前記複数の分割マグネットの上面と軸方向に対面することを特徴とする請求項４または５に記載のスピンドルモータ。
【請求項８】
請求項６に記載のスピンドルモータを備えたディスク駆動装置であって、
前記ディスクの上面に配され前記クランプマグネットにより前記ロータケース側に吸引されるクランパを有し、
前記突部は、前記円環状ガイド部の内周部に設けられ、
前記クランパは、下面に突出する円環状突起部を有し、前記円環状突起部の外周部が前記突部の先端に当接して位置決めされることを特徴とするディスク駆動装置。
【請求項９】
請求項６に記載のスピンドルモータを備えたディスク駆動装置であって、
前記ディスクの上面に配され前記クランプマグネットにより前記ロータケース側に吸引されるクランパを有し、
前記突部は、前記ボス部の外周部に設けられ、
前記クランパは、下面に突出する円環状突起部を有し、前記円環状突起部の内周部が前記突部の先端に当接して位置決めされることを特徴とするディスク駆動装置。
【請求項１０】
請求項７に記載のスピンドルモータを備えたディスク駆動装置であって、
前記ディスクの上面に配され前記クランプマグネットにより前記ロータケース側に吸引されるクランパを有し、
前記クランパは、下面に突出する円環状突起部を有し、前記円環状突起部の内周部が前記円筒部材の外周部に当接して位置決めされることを特徴とするディスク駆動装置。
【発明の詳細な説明】
【技術分野】
【０００１】
本発明は、光ディスク、光磁気ディスク等を回転させるためのスピンドルモータと、このスピンドルモータを備えたディスク駆動装置に関する。
【背景技術】
【０００２】
ディスクに記録された情報を読み取り、あるいは情報をディスクに書き込むヘッド機構を備えたディスク駆動装置は、例えばＣＤ、ＤＶＤ、ＭＤ等の光ディスク、光磁気ディスク装置として知られている。
このようなディスク駆動装置では、ディスクを回転駆動するいわゆるスピンドルモータとして、図１６に示すような外転型のスピンドルモータが用いられている。
【０００３】
図１６のスピンドルモータ１０１には、ディスク１０２の中心孔の内縁部に当接してディスク１０２を支持するディスク支持部材（センタリング部材）１０３が、ロータホルダ（ロータケース）１０４の上面に設けられている。このディスク支持部材１０３は、ロータホルダ１０４に固定される円筒部１０３Ａと、円筒部１０３Ａの下端部から径方向外側に延びる平板部１０３Ｂと、平板部１０３Ｂから径方向外側に延びてディスク１０２を案内するガイド部１０３Ｃとからなる収容部１０３Ｄを有する。収容部１０３Ｄには、クランプマグネット１０６とバックヨーク１０７が配されている。クランプマグネット１０６とバックヨーク１０７は、ディスク１０２の上面に配された磁性体のクランパ１０８をロータホルダ側に引き寄せる役割を果たしている。
【先行技術文献】
【特許文献】
【０００４】
【特許文献１】特開２０１０−１７０６３２号公報
【発明の概要】
【発明が解決しようとする課題】
【０００５】
図１６のスピンドルモータでは、ディスク支持部材１０３の平板部１０３Ｂの上にバックヨーク１０７とクランプマグネット１０６を積層して配置しており、また、ディスク支持部材１０３のガイド部１０３Ｃによってディスク１０２を確実にガイドするために、ガイド部１０３Ｃの上端はクランプマグネット１０６の上面よりも高く設計されているのが一般的である。このため、ロータホルダ１０４の上面からクランプマグネット１０６の上面までの高さが高くなると共にディスク支持部材１０３の高さが高くなり、その結果、スピンドルモータ全体の高さが高くなってしまう。
【０００６】
また、ディスク支持部材１０３の高さを抑えようとすると、クランプマグネット１０６の厚みを抑える必要があるが、厚みを抑えつつ所定の吸引力を確保するためには、希土類マグネットのような磁束密度の高い高価なマグネットを用いる必要があり、コストが高くなってしまう。
【０００７】
本発明は、以上のような従来技術が抱える課題を解決しようとするものであり、低背化が可能なスピンドルモータを提供することを第１の目的とし、低コスト化が可能なスピンドルモータを提供することを第２の目的とするものである。
【課題を解決するための手段】
【０００８】
上記の目的を達成すべく成された本発明の請求項１のスピンドルモータは、
ディスクが載置されるターンテーブルと、前記ターンテーブルを回転させるモータとを備え、前記モータの回転軸と一体に回転する磁性体のロータケースの上面板を前記ターンテーブルとしたスピンドルモータであって、
前記ロータケースの上面板に、前記回転軸と同心状にセンタリング部材が配され、
前記センタリング部材は、前記ディスクの内縁部を案内する円環状ガイド部と、前記円環状ガイド部の中心に配されて前記回転軸の周りに装着されるボス部と、前記円環状ガイド部と前記ボス部を連絡する複数の架橋部と、前記円環状ガイド部と前記ボス部の間の貫通口部とを有し、
クランプマグネットが、前記貫通口部に配されて、前記ロータケースの上面板に当接していることを特徴とする。
【０００９】
本発明の請求項２に記載のスピンドルモータは、請求項１に記載のスピンドルモータにおいて、
前記クランプマグネットは、円環状マグネットからなり、前記架橋部の下に配されていることを特徴とする。
【００１０】
本発明の請求項３に記載のスピンドルモータは、請求項１に記載のスピンドルモータにおいて、
前記クランプマグネットは、下面に凹部が形成された円環状マグネットからなり、
前記クランプマグネットは、前記凹部が前記架橋部と嵌合されて前記架橋部の上に配されていることを特徴とする。
【００１１】
本発明の請求項４に記載のスピンドルモータは、請求項１に記載のスピンドルモータにおいて、
前記クランプマグネットは、回転方向に分割された複数の分割マグネットからなり、
前記複数の分割マグネットは、間隙部を介して配され、
前記架橋部が前記間隙部に配されていることを特徴とする。
【００１２】
本発明の請求項５に記載のスピンドルモータは、請求項４に記載のスピンドルモータにおいて、
前記複数の分割マグネットは、円弧状マグネットであり、前記間隙部を介して円環状に配されていることを特徴とする。
【００１３】
本発明の請求項６に記載のスピンドルモータは、請求項４または５に記載のスピンドルモータにおいて、
前記センタリング部材には、前記複数の分割マグネットの上面と軸方向に対面する突部が設けられていることを特徴とする。
【００１４】
本発明の請求項７に記載のスピンドルモータは、請求項４または５に記載のスピンドルモータにおいて、
前記回転軸は、前記ロータケースの上面板から突出した突出部分を有し、
前記突出部分の周囲に円筒部材が固定され、
前記円筒部材は、前記複数の分割マグネットの上面と軸方向に対面することを特徴とする。
【００１５】
本発明の請求項８に記載のディスク駆動装置は、本発明の請求項６に記載のスピンドルモータを備えたディスク駆動装置であって、
前記ディスクの上面に配され前記クランプマグネットにより前記ロータケース側に吸引されるクランパを有し、
前記突部は、前記円環状ガイド部の内周部に設けられ、
前記クランパは、下面に突出する円環状突起部を有し、前記円環状突起部の外周部が前記突部の先端に当接して位置決めされることを特徴とする。
【００１６】
本発明の請求項９に記載のディスク駆動装置は、本発明の請求項６に記載のスピンドルモータを備えたディスク駆動装置であって、
前記ディスクの上面に配され前記クランプマグネットにより前記ロータケース側に吸引されるクランパを有し、
前記突部は、前記ボス部の外周部に設けられ、
前記クランパは、下面に突出する円環状突起部を有し、前記円環状突起部の内周部が前記突部の先端に当接して位置決めされることを特徴とする。
【００１７】
本発明の請求項１０に記載のディスク駆動装置は、本発明の請求項７に記載のスピンドルモータを備えたディスク駆動装置であって、
前記ディスクの上面に配され前記クランプマグネットにより前記ロータケース側に吸引されるクランパを有し、
前記クランパは、下面に突出する円環状突起部を有し、前記円環状突起部の内周部が前記円筒部材の外周部に当接して位置決めされることを特徴とする。
【発明の効果】
【００１８】
本発明のスピンドルモータによれば、センタリング部材には、従来例のような平板部がないことにより、クランプマグネットがロータケースの上面板に直接当接して配され、磁性体のロータケースがバックヨークとなり、従来例のようなバックヨークは配置せずにすむ。したがって、ロータケースの上面からクランプマグネットの上面までの高さが低くなると共にセンタリング部材の高さを低くできるため、スピンドルモータ全体の高さを低背化できる。
また、本発明のスピンドルモータによれば、スピンドルモータ全体の高さを抑える必要がない場合には、従来例のものよりも厚いクランプマグネットを用いることができる。このため、所定の吸引力を確保するために、クランプマグネットの材料として磁気吸引力の高い高価な希土類マグネット等に代えて安価なフェライトマグネット等を用いることができ、より低コストなスピンドルモータが提供できる。
【図面の簡単な説明】
【００１９】
【図１】本発明の第１実施形態例に係るスピンドルモータの平面図である。
【図２】図１中の矢印Ａ−Ａにおける断面図である。
【図３】本発明の第２実施形態例に係るスピンドルモータの平面図である。
【図４】図３中の矢印Ｂ−Ｂにおける断面図である。
【図５】（ａ）は、本発明の第２実施形態例におけるクランプマグネットの平面図、（ｂ）は、（ａ）中の矢印Ｃ−Ｃにおける側面図である。
【図６】本発明の第３実施形態例に係るスピンドルモータの平面図である。
【図７】図６中の矢印Ｄ−Ｄにおける断面図である。
【図８】本発明の第４実施形態例に係るスピンドルモータの平面図である。
【図９】図８中の矢印Ｅ−Ｅにおける断面図である。
【図１０】本発明の第５実施形態例に係るスピンドルモータの平面図である。
【図１１】図１０中の矢印Ｆ−Ｆにおける断面図である。
【図１２】本発明のディスク駆動装置の断面図である。
【図１３】本発明の第３実施形態例のスピンドルモータを備えたディスク駆動装置の要部断面図である。
【図１４】本発明の第４実施形態例のスピンドルモータを備えたディスク駆動装置の要部断面図である。
【図１５】本発明の第５実施形態例のスピンドルモータを備えたディスク駆動装置の要部断面図である。
【図１６】従来のスピンドルモータの断面図である。
【発明を実施するための形態】
【００２０】
以下、図面を参照して本発明の実施形態に係るスピンドルモータについて説明する。
【００２１】
（第１実施形態例）
本発明の第１実施形態例に係るスピンドルモータの構成を図１及び図２を用いて説明する。図１は、本例のスピンドルモータの平面図である。図２は、図１中の矢印Ａ−Ａにおける断面図である。
【００２２】
本例のスピンドルモータ１は、ディスクが載置されるターンテーブルと、ターンテーブルを回転させるモータとを備え、モータの回転軸１５と一体に回転する磁性体のロータケース１０の上面板１１をターンテーブルとしているものである。
【００２３】
本例のスピンドルモータ１は、図２に示すように、ロータケース１０と、回転軸１５と、センタリング部材２０Ａと、クランプマグネット３０Ａと、駆動用マグネット４０と、ステータ５０を備えている。
【００２４】
ロータケース１０は、磁性金属材料でキャップ状に形成されている。このロータケース１０は、回転軸１５と直角な面で形成された平板状の上面板１１と、上面板１１の周縁に筒状に形成された第１円筒部１２と、上面板１１の中央に回転軸１５が固定される第２円筒部１３を有する。第２円筒部１３は、上面板１１の軸方向上方に立ち上げられている。
【００２５】
ロータケース１０の上面板１１は、ディスクが着脱自在に配されて回転軸１５と一体に回転するターンテーブルとなっている。この上面板１１には、ディスクの滑り止め部材１６が設けられている。
【００２６】
回転軸１５は、ロータケース１０の第２円筒部１３に圧入されてロータケース１０の上面板１１から突出して配されている。この回転軸１５は、後述するステータ５０に回転可能な状態で支持されている。
【００２７】
センタリング部材２０Ａは、ディスクを回転軸１５と同心状に案内するための部材であり、ロータケース１０の上面板１１に配されている。このセンタリング部材２０Ａは、硬質樹脂で一体成型されている。
【００２８】
センタリング部材２０Ａは、ディスクの内縁部をガイドする円環状ガイド部２１を有している。
円環状ガイド部２１の外周部には、複数の爪部２１Ａが回転方向に等間隔に設けられている。この爪部２１Ａは、ディスクの中心孔の内縁部に当接されるものである。
円環状ガイド部２１の下面部２１Ｂは、平坦面状に形成されておりロータケース１０の上面板１１と当接されている。
【００２９】
また、センタリング部材２０Ａには、円環状ガイド部２１の中心に配されて回転軸１５の周りに装着されるボス部２２が設けられている。ボス部２２は、略円筒状に形成されており、ロータケース１０の第２円筒部１３の上部に配されている。ボス部２２の内径は、回転軸１５の外径と同等に形成されている。
【００３０】
円環状ガイド部２１とボス部２２には、これらを連絡する架橋部２３Ａが複数形成されている。本例の架橋部２３Ａは、円環状ガイド部２１の内周部上部とボス部２２の外周部上部を連結しており、ボス部２２から図１の図面左右方向にそれぞれ１つ形成されている。架橋部２３Ａは、ロータケース１０の上面板１１と非接触に配されている。
円環状ガイド部２１とボス部２２の間には、円環状ガイド部２１の内側に貫通口部２４が形成されている。貫通口部２４には、後述のクランプマグネット３０Ａが配されている。
【００３１】
クランプマグネット３０Ａは、円環状に形成されている。クランプマグネット３０Ａは、センタリング部材２０Ａの貫通口部２４に配されている。このクランプマグネット３０Ａは、ロータケース１０の上面板１１に当接されている。また、クランプマグネット３０Ａは、架橋部２３Ａの下に配されている。
【００３２】
クランプマグネット３０Ａの外径は、円環状ガイド部２１の内径と同程度に形成されている。また、クランプマグネット３０Ａの内径は、ボス部２２の外径と同程度に形成されている。クランプマグネット３０Ａが、センタリング部材２０Ａの貫通口部２４に配されると、円環状ガイド部２１の内周部２１Ｃとクランプマグネット３０Ａの外周部が当接される。
【００３３】
駆動用マグネット４０は、円筒状に形成されており、ロータケース１０の第１円筒部１２の内周部に固着されている。
ステータ５０は、回転軸１５を回転自在に支承するラジアル軸受５１およびスラスト軸受５２と、このラジアル軸受５１の外周を保持する軸受ホルダ５３を有する。また、ステータ５０は、軸受ホルダ５３の外周に固定されて駆動用マグネット４０に対向配置されたステータコア５５と、このステータコア５５に巻回されたコイル５４と、回路基板５６を載置したステータベース５７を有する。
【００３４】
このように構成された本例のスピンドルモータ１において、ロータケース１０の上面板１１に、回転軸１５と同心状にセンタリング部材２０Ａが配され、センタリング部材２０Ａは、ディスクの内縁部を案内する円環状ガイド部２１と、円環状ガイド部２１の中心に配されて回転軸１５の周りに装着されるボス部２２と、円環状ガイド部２１とボス部２２を連絡する複数の架橋部２３Ａと、円環状ガイド部２１とボス部２２の間の貫通口部２４とを有し、クランプマグネット３０Ａが、貫通口部２４に配されて、ロータケース１０の上面板１１に当接している。
【００３５】
よって、磁性体のロータケースがクランプマグネットのバックヨークとなり、従来例のようなバックヨークは配置せずにすむ。したがって、ロータケースの上面からクランプマグネットの上面までの高さが低くなると共にセンタリング部材の高さを低くできるため、スピンドルモータ全体を低背化できる。
また、スピンドルモータ全体の高さを抑える必要がない場合には、図１６のものよりも厚いクランプマグネットを用いることができる。このため、所定の吸引力を確保するために、クランプマグネットの材料として磁気吸引力の高い高価な希土類マグネット等に代えて安価なフェライトマグネット等を用いることができ、より低コストなスピンドルモータが提供できる。
また、センタリング部材２０Ａは、円環状ガイド部２１の中心に配されて回転軸１５の周りに装着されるボス部２２を有するため、センタリング部材は、従来例のように回転軸と同心状に位置決めを容易に確実に行うことができる。
【００３６】
また、クランプマグネット３０Ａは、円環状マグネットからなり、架橋部２３Ａの下に配されている。この架橋部２３Ａは、円環状ガイド部２１の内周部に当接しているクランプマグネット３０Ａに対して抜け止め機能を有するため、より信頼性の高いスピンドルモータが得られる。
【００３７】
（第２実施形態例）
図３は、本発明の第２実施形態例に係るスピンドルモータの平面図である。図４は、図３中の矢印Ｂ−Ｂ線における断面図である。図５（ａ）は、本発明の第２実施形態例におけるクランプマグネットの平面図である。図５（ｂ）は、図５（ａ）中の矢印Ｃ−Ｃにおける側面図である。図３ないし図５において、図１または図２中の符号と同一の符号は同等の部材を指しており、詳細な説明は省略する。
【００３８】
本例は、センタリング部材の架橋部の位置やクランプマグネットの形状が第１実施形態例と異なる。
第１実施形態例の架橋部２３Ａは、円環状ガイド部２１の内周部上部とボス部２２の外周部上部とを連結して、ロータケース１０の上面板１１と非接触に配されている。本例の架橋部２３Ｂは、円環状ガイド部２１の内周部下部とボス部２２の外周部下部とを連結しており、ロータケース１０の上面板１１に接触して配されている。
また、第１実施形態例では、クランプマグネット３０Ａは、円環状マグネットからなり、架橋部２３Ａの下に配されている。本例のクランプマグネット３０Ｂは、下面に凹部３０Ｂ１が形成された円環状マグネットからなる。具体的には、凹部３０Ｂ１は、図５中のクランプマグネット３０Ｂの下面に、図面左右方向に沿って形成されている。この凹部３０Ｂ１内形は、架橋部２３Ｂの外形と同形状に形成されており、凹部３０Ｂ１は、架橋部２３Ｂと嵌合できるものである。
クランプマグネット３０Ｂは、センタリング部材２０Ｂの貫通口部２４に上方から挿入される。クランプマグネット３０Ｂは、ロータケース１０の上面板１１に当接しつつ、凹部３０Ｂ１が架橋部２３Ｂと嵌合されて架橋部２３Ｂの上に配されている。
【００３９】
本例はこのような構成であって、磁性体のロータケースがクランプマグネットのバックヨークとなり、従来例のようなバックヨークは配置せずにすむ。したがって、ロータケースの上面からクランプマグネットの上面までの高さが低くなると共にセンタリング部材の高さを低くできるため、スピンドルモータ全体を低背化できる。
また、スピンドルモータ全体の高さを抑える必要がない場合には、図１６のものよりも厚いクランプマグネットを用いることができる。このため、所定の吸引力を確保するために、クランプマグネットの材料として磁気吸引力の高い高価な希土類マグネット等に代えて安価なフェライトマグネット等を用いることができ、より低コストなスピンドルモータが提供できる。
また、センタリング部材２０Ｂは、円環状ガイド部２１の中心に配されて回転軸１５の周りに装着されるボス部２２を有するため、センタリング部材は、従来例のように回転軸と同心状に位置決めを容易に確実に行うことができる。
また、凹部３０Ｂ１が架橋部２３Ｂと嵌合されて架橋部２３Ｂの上に配されている。よって、 クランプマグネット３０Ｂはセンタリング部材２０Ｂの貫通口部２４に上方から挿入され、センタリング部材を回転軸に固定した後に、クランプマグネットをセンタリング部材の貫通口部に配することができ、従来例のように組み立てが容易にできる。
また、クランプマグネットの凹部とセンタリング部材の架橋部が嵌合されるとクランプマグネットの抜け止めとして機能するため、より信頼性の高いスピンドルモータが得られる。
【００４０】
（第３実施形態例）
図６は、本発明の第３実施形態例に係るスピンドルモータの平面図である。図７は、図６中の矢印Ｄ−Ｄ線における断面図である。図６、図７において、図１ないし図５中の符号と同一の符号は同等の部材を指しており、詳細な説明は省略する。
【００４１】
本例は、センタリング部材の架橋部とクランプマグネットの形状が第１実施形態例と異なる。
第１実施形態例の架橋部２３Ａは、円環状ガイド部２１の内周部上部とボス部２２の外周部上部とを連結していたが、本例の架橋部２３Ｃは、円環状ガイド部２１の内周部と、ボス部２２の外周部とを連結している連結壁となっている。連結壁の上部は、円環状ガイド部２１の内周部上部とボス部の外周部上部とを連結している。連結壁の下部は、円環状ガイド部２１の内周部下部とボス部の外周部下部とを連結している。本例の貫通口部２４は、架橋部（連結壁）２３Ｃにより分割され、円環状ガイド部２１とボス部２２の間に２つ形成されている。
【００４２】
また、第１実施形態例では、クランプマグネット３０Ａは円環状マグネットであったが、本例のクランプマグネット３０Ｃは、回転方向に分割された複数の分割されたマグネットからなっている。複数の分割マグネットは、円弧状のマグネットからなる。複数の分割マグネットが貫通口部２４に配されると、間隙部を介して円環状に配され、上述の架橋部２３Ｃが間隙部に配される。本例では、２つの円弧状マグネットが、２つの貫通口部２４にそれぞれ配されて、間隙部を介して円環状に配され、上述の架橋部２３Ｃが間隙部に配されている。この架橋部２３Ｃは回転方向に等間隔に３つ以上設けてもよく、その架橋部２３Ｃの数に合わせて複数の分割マグネットが貫通口部２４にそれぞれ円環状に配されてもよい。円環状に配された複数の分割マグネットの外径は、円環状ガイド部２１の内径と同程度の大きさに形成されている。また、円環状に配された複数の分割マグネットの内径は、ボス部２２の外径と同程度の大きさに形成されている。この円環状ガイド部２１には、内周面上部に複数の分割マグネットの上面と軸方向に近接して対面する突部２７Ｃが設けられている。この突部２７Ｃは、円環状ガイド部２１の内周部に沿って回転方向に３つ等間隔に配されている。この突部２７Ｃと架橋部２３Ｃは、図６の平面視にて重畳しないように配されている。
【００４３】
本例ではこのように形成されており、複数の分割マグネットがセンタリング部材２０Ｃの貫通口部２４にそれぞれ配されると、複数の分割マグネットはロータケース１０の上面板１１に当接する。
【００４４】
よって、磁性体のロータケースがクランプマグネットのバックヨークとなり、従来例のようなバックヨークは配置せずにすむ。したがって、ロータケースの上面からクランプマグネットの上面までの高さが低くなると共にセンタリング部材の高さを低くできるため、スピンドルモータ全体を低背化できる。
また、スピンドルモータ全体の高さを抑える必要がない場合には、図１６のものよりも厚いクランプマグネットを用いることができる。このため、所定の吸引力を確保するために、クランプマグネットの材料として磁気吸引力の高い高価な希土類マグネット等に代えて安価なフェライトマグネット等を用いることができ、より低コストなスピンドルモータが提供できる。
また、センタリング部材２０Ｃは、円環状ガイド部２１の中心に配されて回転軸１５の周りに装着されるボス部２２を有するため、センタリング部材は、従来例のように回転軸と同心状に位置決めを容易に確実に行うことができる。
【００４５】
また、複数の分割マグネットがセンタリング部材２０Ｃの貫通口部２４にそれぞれ配されると、円環状ガイド部の内周部と複数の分割マグネットの外周部が当接され、円環状に配された複数の分割マグネットは、回転軸と同心状に位置決めされ、回転時に偏芯することがない。
【００４６】
また、本例のクランプマグネットは、回転方向に分割された複数の分割マグネットからなり、複数の分割マグネットは、間隙部を介して配され、架橋部２３Ｃが間隙部に配されている。よって、クランプマグネットの分割数を増やすことにより、ロータケース側に吸引されるクランパの磁気吸引力の調整を行うことができる。
【００４７】
また、センタリング部材には、前記複数の分割マグネットの上面と軸方向に対面する突部２７Ｃが設けられている。この突部は、円環状ガイド部の内周部に当接している複数の分割マグネットに対して抜け止め機能を有するため、より信頼性の高いスピンドルモータが得られる。
なお、本例の分離された３つの突部２７Ｃは、円環状ガイド部２１の内周部上部に回転方向に連続して突出する鍔形状でもよい。
【００４８】
（第４実施形態例）
図８は、本発明の第４実施形態例に係るスピンドルモータの平面図である。図９は、図８中の矢印Ｅ−Ｅ線における断面図である。図８、図９において、図１ないし図７の符号と同一の符号は同等の部材を指しており、詳細な説明は省略する。
【００４９】
本例は、クランプマグネットの抜け止め用の突部の位置が第３実施形態例と異なる。第３実施形態例の説明では、センタリング部材２０Ｃの突部２７Ｃは、円環状ガイド部２１の内周部上部に３つ配されていたが、本例の突部２７Ｄは、ボス部２２の外周部に沿って回転方向に３つ等間隔に設けられている。この突部２７Ｄは、複数の分割マグネットの上面と軸方向に対面している。この突部２７Ｄと架橋部２３Ｃは、図８の平面視にて重畳しないように配されている。
本例においても、第３実施形態例と同様の効果を有する。すなわち、複数の分割マグネットの内周部がボス部２２の外周部に当接していると、突部２７Ｄは、クランプマグネット３０Ｃに対して抜け止め機能を有するため、より信頼性の高いスピンドルモータが得られる。  
【００５０】
（第５実施形態例）
図１０は、本発明の第５実施形態例に係るスピンドルモータの平面図である。図１１は、図１０中の矢印Ｆ−Ｆ線における断面図である。図１０、図１１において、図１ないし図９の符号と同一の符号は同等の部材を指しており、詳細な説明は省略する。
【００５１】
本例は、複数の分割マグネットの抜止機構が第４実施形態例と異なる。第４実施形態例では、突部２７Ｄがボス部２２の外周部に沿って回転方向に３つ等間隔に配されているが、本例では、ロータケース１０の上面板１１から突出した回転軸１５の突出部分の周囲に、円筒部材６０が配されている。
【００５２】
円筒部材６０は、非磁性の金属材料で形成されており、円筒部材６０の外径は、ボス部２２の外径より大きく形成されている。この円筒部材６０は、複数の分割マグネットがロータケース１０の上面板１１に配された後、ボス部２２の上面に当接して回転軸１５に固定される。
【００５３】
本例はこのように形成されており、複数の分割マグネットの内周部がボス部の外周部に当接して配されているため、円筒部材は、複数の分割マグネットの抜け止めとなっている。よって、複数の分割マグネットがロータケースから外れることがない高信頼性のスピンドルモータが得られる。
【００５４】
次に、本発明のディスク駆動装置を説明する。図１２は、本発明のディスク駆動装置の断面図である。図１３は、本発明の第１実施形態例のスピンドルモータを備えたディスク駆動装置の要部断面図である。図１２または図１３において、図１ないし図１１の符号と同一の符号は同等の部材を指しており、詳細な説明は省略する。
【００５５】
ディスク駆動装置７０は、本発明のスピンドルモータ１と、クランパ７１と、記録再生部７２と、筐体７３を備えている。
【００５６】
クランパ７１は、磁性体で形成されディスク上面に当接して配されており、スピンドルモータのクランプマグネットによりロータケース側に引き寄せられるものである。このクランパ７１には、下面に突出して回転中心から同軸上に形成された円環状突起部７１Ａが設けられている。
記録再生部７２は、スピンドルモータ１により回転するディスクの記録面に沿って不図示の光ピックアップを移動させて、ディスク７４からの情報の読み出し又はディスク７４への情報の書き込みを行うものである。
筐体７３は、スピンドルモータ１と、クランパ７１と、記録再生部７２等を内部に備えているものである。
【００５７】
図１３に示す第３実施形態例のセンタリング部材２０Ｃにおいて、３つの突部２７Ｃの先端に接する内接円の中心は、回転中心となっており、円環状突起部７１Ａの外周部は、上述の内接円と同等の大きさとなっている。そして、クランパ７１がディスクの上方から軸方向下方に移動した際、円環状突起部７１Ａは、その外周部がセンタリング部材２０Ｃの突部２７Ｃの先端に当接しながらセンタリングされる。よって、この突部は、クランパのセンタリング機能を有し、ディスクの上面に配されたクランパが回転時に偏芯しないディスク駆動装置が得られる。この突部は、先端に内接する内接円を形成するため３つ以上が好ましい。
【００５８】
また、センタリングされたクランパ７１の円環状突起部７１Ａは、複数の分割マグネットの上面に非接触に対向してクリアランスを有して配されている。これにより、クランパが複数の分割マグネットから離れるように軸方向上方に移動した際、前記クリアランスがあるため、複数の分割マグネットと円環状突起部７１Ａとの吸着力は、複数の分割マグネットとロータケースとの吸着力より弱くなり、複数の分割マグネットはロータケースから軸方向上方に移動しないようにできる。
さらに、センタリング部材には、抜け止め用の突部２７Ｃが設けられているため、複数の分割マグネットはロータケースから確実に外れることがない高信頼性のスピンドルモータを備えたディスク駆動装置が得られる。
【００５９】
また、円環状突起部７１Ａの内周部とこの内周部と連続する底部との間に、凸状のＲ形状が形成されると、クランパ７１がディスクの上方から軸方向下方に移動した際、クランパが突部に滑らかに当接してセンタリングが容易にできるディスク駆動装置が得られる。
【００６０】
図１４は、本発明の第４実施形態例のスピンドルモータを備えたディスク駆動装置の要部断面図である。図１４において、図１ないし図１３の符号と同一の符号は同等の部材を指しており、詳細な説明は省略する。
図１４に示すディスク駆動装置のセンタリング部材２０Ｄにおいて、３つの突部２７Ｄの先端を通る外接円の中心は、回転中心となっており、円環状突起部７１Ａの内周部は、上述の外接円と同等の大きさとなっている。そして、クランパ７１がディスクの上方から軸方向下方に移動した際、円環状突起部７１Ａは、その内周部がセンタリング部材２０Ｄの突部２７Ｄの先端に当接しながらセンタリングされる。よって、この突部は、クランパのセンタリング機能を有し、ディスクの上面に配されたクランパが回転時に偏芯しないディスク駆動装置が得られる。この突部は、先端を通る外接円を形成するため３つ以上が好ましい。
【００６１】
また、センタリングされたクランパ７１の円環状突起部７１Ａは、複数の分割マグネットの上面に非接触に対向してクリアランスを有して配されている。これにより、クランパが複数の分割マグネットから離れるように軸方向上方に移動した際、前記クリアランスがあるため、複数の分割マグネットと円環状突起部７１Ａとの吸着力は、複数の分割マグネットとロータケースとの吸着力より弱くなり、複数の分割マグネットはロータケースから軸方向上方に移動しないようにできる。
さらに、センタリング部材には、抜け止め用の突部２７Ｄが設けられているため、複数の分割マグネットはロータケースから確実に外れることがない高信頼性のスピンドルモータを備えたディスク駆動装置が得られる。
【００６２】
また、円環状突起部７１Ａの内周部とこの内周部と連続する底部との間に、凸状のＲ形状が形成されると、クランパがディスクの上方から軸方向下方に移動した際、クランパがセンタリング部材の突部に滑らかに当接してセンタリングが容易にできるディスク駆動装置が得られる。
【００６３】
図１５は、本発明の第５実施形態例のスピンドルモータを備えたディスク駆動装置の要部断面図である。図１５において、図１ないし図１４の符号と同一の符号は同等の部材を指しており、詳細な説明は省略する。
図１５に示すディスク駆動装置において、円筒部材６０の外径の中心は、回転中心と同一となっており、円環状突起部７１Ａの内周部（内径）は、円筒部材６０の外径と同等の大きさとなっている。そのため、クランパがディスクの上方にあって軸方向下方に移動した際、クランパの円環状突起部７１Ａは、その内周部が円筒部材６０の外周部に当接しながらセンタリングされる。よって、この円筒部材６０は、クランパのセンタリング機能を有し、ディスクの上面に配されたクランパが回転時に偏芯しないディスク駆動装置が得られる。
【００６４】
また、センタリングされたクランパ７１の円環状突起部７１Ａは、複数の分割マグネットの上面に非接触に対向してクリアランスを有して配される。これにより、クランパが複数の分割マグネットから離れるように軸方向上方に移動した際、前記クリアランスがあるため、複数の分割マグネットと円環状突起部７１Ａとの吸着力は、複数の分割マグネットとロータケースとの吸着力より弱くなり、複数の分割マグネットはロータケースから軸方向上方に移動しないようにできる。
さらに、抜け止め用の円筒部材６０が設けられているため、複数の分割マグネットはロータケースから確実に外れることがない高信頼性のスピンドルモータを備えたディスク駆動装置が得られる。
【００６５】
また、円環状突起部７１の内周部とこの内周部と連続する底部との間に、凸状のＲ形状が形成されると、クランパがディスクの上方から軸方向下方に移動した際、クランパが円筒部材に滑らかに当接してセンタリングが容易にできるディスク駆動装置が得られる。
【符号の説明】
【００６６】
１          スピンドルモータ
１０        ロータケース
１１        上面板
１２        第１円筒部
１３        第２円筒部
１５        回転軸  
１６        滑り止め部材      
２０Ａ      センタリング部材
２０Ｂ      センタリング部材
２０Ｃ      センタリング部材
２０Ｄ      センタリング部材
２１        円環状ガイド部
２１Ａ      爪部
２１Ｂ      下面部
２１Ｃ      内周部
２２        ボス部
２３Ａ      架橋部
２３Ｂ      架橋部
２３Ｃ      架橋部
２４        貫通口部
２７Ｃ      突部
２７Ｄ      突部
３０Ａ      クランプマグネット（円環状マグネット）
３０Ｂ      クランプマグネット（円環状マグネット）
３０Ｃ      クランプマグネット（複数の分割マグネット）
４０        駆動用マグネット
５０        ステータ
５１        ラジアル軸受
５２        スラスト軸受
５３        軸受ホルダ
５４        コイル
５５        ステータコア
５６        印刷配線板
５７        ステータベース
６０        円筒部材
７０        ディスク駆動装置
７１        クランパ
７１Ａ      円環状突起部  
７２        記録再生部
７３        筐体
７４        ディスク
【図１】
0005798409.tif 000002
【図２】
0005798409.tif 000003
【図３】
0005798409.tif 000004
【図４】
0005798409.tif 000005
【図５】
0005798409.tif 000006
【図６】
0005798409.tif 000007
【図７】
0005798409.tif 000008
【図８】
0005798409.tif 000009
【図９】
0005798409.tif 000010
【図１０】
0005798409.tif 000011
【図１１】
0005798409.tif 000012
【図１２】
0005798409.tif 000013
【図１３】
0005798409.tif 000014
【図１４】
0005798409.tif 000015
【図１５】
0005798409.tif 000016
【図１６】
0005798409.tif 000017